(57)【要約】【目的】  再生を中断することなく次のチャプターの名称やチャプター名のリストを再生映像の上に重ねて表示できるようにする「チャプター情報表示方法および記録媒体再生装置」を提供することである。【構成】  所定タイトルの映像再生中に該タイトルを構成するチャプターの情報（次のシーンのチャプター名やチャプター名リスト）を再生画像に重ねて文字で表示する。このために、サブピクチャデータを用いてチャプター情報を文字で表示する場合、予め該サブピクチャデータあるいはビットマップ展開した文字画像データを取得してチャプター番号に対応させて保存しておき、所定チャプターの情報表示が要求されたとき、該チャプターに応じて保存されているサブピクチャデータあるいは文字画像データを用いて要求されたチャプターの情報を再生画像に重ねて文字で表示する。【選択図】        図１
2006324972.tif 000002
【特許請求の範囲】
【請求項１】
所定タイトルの映像再生中に該タイトルを構成するチャプターの情報を再生画像に重ねて文字で表示するチャプター情報表示方法において、
チャプター選択メニュー画面においてサブピクチャデータを用いてチャプター情報を文字で表示するかチェックし、
該サブピクチャデータを用いてチャプター情報を文字で表示する場合には、該サブピクチャデータあるいはビットマップ展開した文字画像データを取得してチャプター番号に対応させて保存し、
所定チャプターの情報表示が要求されたとき、該チャプターに応じて保存されているサブピクチャデータあるいは文字画像データを用いて要求されたチャプターの情報を文字で表示する、
ことを特徴とするチャプター情報表示方法。
【請求項２】
文字画像をランレングス圧縮してなるサブピクチャデータの場合、ランレングスが設定長以下のサブピクチャデータが存在すれば、該サブピクチャデータを用いてチャプター情報を文字で表示すると判定する、
ことを特徴とする請求項１記載のチャプター情報表示方法。
【請求項３】
所定タイトルの映像再生中に該タイトルを構成するチャプターの情報を再生画像に重ねて文字で表示するチャプター情報表示方法において、
チャプター選択メニュー画面においてチャプター情報を画像圧縮データを用いて文字で表示するかチェックし、
チャプター情報を画像圧縮データを用いて文字で表示する場合、該画像圧縮データあるいはビットマップ展開した文字画像データを取得してチャプター番号に対応させて保存し、
所定チャプターの情報表示が要求されたとき、該チャプターに応じた画像圧縮データあるいは文字画像データを用いて要求されたチャプターの情報を文字で表示する、
ことを特徴とするチャプター情報表示方法。
【請求項４】
DCTに基づいて画像圧縮する場合、チャプター映像の周囲映像の画像圧縮データに高周波信号が含まれており、かつ高周波信号を含む部分が複数個連続する場合、チャプター情報を画像圧縮データを用いて文字映像で表示すると判定する、
ことを特徴とする請求項３記載のチャプター情報表示方法。
【請求項５】
ディスク記録媒体に記録されている所定タイトルの映像再生中に該タイトルを構成するチャプターの情報を再生画像に重ねて文字で表示する記録媒体再生装置において、
チャプター選択メニュー画面においてサブピクチャデータを用いてチャプター情報を文字で表示するかチェックするチェック部、
該サブピクチャデータを用いてチャプター情報を文字で表示する場合には、該サブピクチャデータあるいはビットマップ展開した文字画像データをチャプター番号に対応させて保存する記憶部、
所定チャプターの情報表示を要求するチャプター情報表示要求部、
所定チャプターの情報表示が要求されたとき、該チャプターに応じて保存されているサブピクチャデータあるいは文字画像データを用いて要求されたチャプターの情報を文字で表示する表示制御部、
を備えたことを特徴とする記録媒体再生装置。
【請求項６】
前記チェック部は、文字画像をランレングス圧縮してなるサブピクチャデータにおいて、ランレングスが設定長以下のサブピクチャデータが存在すれば、該サブピクチャデータを用いてチャプター情報を文字で表示すると判定することを特徴とする請求項５記載の記録媒体再生装置。
【請求項７】
ディスク記録媒体に記録されている所定タイトルの映像再生中に該タイトルを構成するチャプターの情報を再生画像に重ねて文字で表示する記録媒体再生装置において、
チャプター選択メニュー画面においてチャプター情報を画像圧縮データを用いて文字で表示するかチェックするチェック部、
チャプター情報を画像圧縮データを用いて文字で表示する場合、該画像圧縮データあるいはビットマップ展開した文字画像データを取得してチャプター番号に対応させて保存する記憶部、
所定チャプターの情報表示を要求するチャプター情報表示要求部、
所定チャプターの情報表示が要求されたとき、該チャプターに応じた画像圧縮データあるいは文字画像データを用いて要求されたチャプターの情報を文字で表示する表示制御部、
を備えたことを特徴とする記録媒体再生装置。
【請求項８】
DCTに基づいて画像圧縮する場合、前記チェック部は、チャプター映像の周囲映像の画像圧縮データに高周波信号が含まれており、かつ高周波信号を含む部分が複数個連続する場合、チャプター情報を画像圧縮データを用いて文字映像で表示すると判定することを特徴とする請求項７記載の記録媒体再生装置。
【発明の詳細な説明】
【技術分野】
【０００１】
本発明は、チャプター情報表示方法および記録媒体再生装置に係わり、特に所定タイトルの映像再生中に該タイトルを構成するチャプターの情報を再生画像に重ねて文字で表示するチャプター情報表示方法および記録媒体再生装置に関する。
【背景技術】
【０００２】
DVDにはチャプター選択メニューがあり、このチャプター選択メニューにおいて各チャプターの特徴を示す場面（シーン）と該チャプターの名称（始まり、事件１、事件２、ロマンス、・・・、結末）などを表示し、所定のチャプターを選択することで該チャプターから再生を開始できるようになっている（たとえば特許文献１参照）。
ところで、ユーザによってはDVD再生中に次のチャプターがどのような場面であるか知りたい場合がある。DVD-Videoのチャプター名称は、もしディスクにチャプターに関するテキスト情報が記録されていれば、これを読み取って表示する事で簡単に実現できる。しかし、DVD規格上、チャプターに関するテキスト情報の記録規定は決められているが、実際にテキスト情報が記録されているディスクはほとんど存在しない。このため、ユーザはチャプターに関する情報を見たければ再生を中断してチャプター選択メニューに戻り、チャプター情報を確認後に、それまでのチャプターに戻って再生を再開する操作を行っている。
【特許文献１】特開平１０−２８３１５５号公報
【発明の開示】
【発明が解決しようとする課題】
【０００３】
しかし、かかるチャプター確認方法では、再生を停止しなければならず、しかも、チャプター選択メニューを表示する操作、チャプター確認後に再生中断位置から再生を開始する操作が必要になり、操作が面倒となる問題がある。
以上から本発明の目的は、再生を中断することなく次のチャプター名やチャプター名のリストを再生映像の上に重ねて表示できるようにすることである。
【課題を解決するための手段】
【０００４】
上記課題は本発明によれば、所定タイトルの映像再生中に該タイトルを構成するチャプターの情報を再生画像に重ねて文字で表示するチャプター情報表示方法および記録媒体再生装置により達成される。
本発明の第１のチャプター情報表示方法は、チャプター選択メニュー画面においてサブピクチャデータを用いてチャプター情報を文字で表示するかチェックするステップ、該サブピクチャデータを用いてチャプター情報を文字で表示する場合には、該サブピクチャデータあるいはビットマップ展開した文字画像データを取得してチャプター番号に対応させて保存するステップ、所定チャプターの情報表示が要求されたとき、該チャプターに応じて保存されているサブピクチャデータあるいは文字画像データを用いて要求されたチャプターの情報を文字で表示するステップを有している。文字画像をランレングス圧縮してなるサブピクチャデータの場合、ランレングスが設定長以下のサブピクチャが存在すれば、該サブピクチャデータを用いてチャプター情報を文字で表示すると判定する。
本発明の第２のチャプター情報表示方法は、チャプター選択メニュー画面においてチャプター情報を画像圧縮データを用いて文字で表示するかチェックするステップ、チャプター情報を画像圧縮データを用いて文字で表示する場合、該画像圧縮データあるいはビットマップ展開した文字画像データを取得してチャプター番号に対応させて保存するステップ、所定チャプターの情報表示が要求されたとき、該チャプターに応じた画像圧縮データあるいは文字画像データを用いて要求されたチャプターの情報を文字で表示するステップを有している。DCTに基づいて画像圧縮する場合、チャプター映像の周囲映像の画像圧縮データに高周波信号が含まれており、かつ高周波信号を含む部分が複数個連続する場合、チャプター情報を画像圧縮データを用いて文字映像で表示すると判定する。
本発明の第１の記録媒体再生装置は、チャプター選択メニュー画面においてサブピクチャデータを用いてチャプター情報を文字で表示するかチェックするチェック部、該サブピクチャデータを用いてチャプター情報を文字で表示する場合には、該サブピクチャデータあるいはビットマップ展開した文字画像データをチャプター番号に対応させて保存する記憶部、所定チャプターの情報表示を要求するチャプター情報表示要求部、所定チャプターの情報表示が要求されたとき、該チャプターに応じて保存されているサブピクチャデータあるいは文字画像データを用いて要求されたチャプターの情報を文字で表示する表示制御部を備えている。前記チェック部は、文字画像をランレングス圧縮してなるサブピクチャデータにおいて、ランレングスが設定長以下のサブピクチャデータが存在すれば、該サブピクチャデータを用いてチャプター情報を文字で表示すると判定する。
本発明の第２の記録媒体再生装置は、チャプター選択メニュー画面においてチャプター情報を画像圧縮データを用いて文字で表示するかチェックするチェック部、チャプター情報を画像圧縮データを用いて文字で表示する場合、該画像圧縮データあるいはビットマップ展開した文字画像データを取得してチャプター番号に対応させて保存する記憶部、所定チャプターの情報表示を要求するチャプター情報表示要求部、所定チャプターの情報表示が要求されたとき、該チャプターに応じた画像圧縮データあるいは文字画像データを用いて要求されたチャプターの情報を文字で表示する表示制御部を備えている。前記チェック部はDCTに基づいて画像圧縮する場合、前記チェック部は、チャプター映像の周囲映像の画像圧縮データに高周波信号が含まれており、かつ高周波信号を含む部分が複数個連続する場合、チャプター情報を画像圧縮データを用いて文字映像で表示すると判定する。
【発明の効果】
【０００５】
本発明によれば、チャプター選択メニュー画面においてサブピクチャデータを用いてチャプター情報を文字で表示するかチェックし、該サブピクチャデータを用いてチャプター情報を文字で表示する場合には、該サブピクチャデータあるいはビットマップ展開した文字画像データを取得してチャプター番号に対応させて保存し、所定チャプターの情報表示が要求されたとき、該チャプターに応じて保存されているサブピクチャデータあるいは文字画像データを用いて要求されたチャプターの情報を文字で表示するようにしたから、あるいは、チャプター選択メニュー画面においてチャプター情報を画像圧縮データを用いて文字で表示するかチェックし、チャプター情報を画像圧縮データを用いて文字で表示する場合、該画像圧縮データあるいはビットマップ展開した文字画像データを取得してチャプター番号に対応させて保存し、所定チャプターの情報表示が要求されたとき、該チャプターに応じた画像圧縮データあるいは文字画像データを用いて要求されたチャプターの情報を文字で表示するようにしたから、再生を一時中断してメニュー画面を呼び出すことなく、また、次のチャプター名やチャプター名のリストを再生映像の上に重ねて表示することができる。
【発明を実施するための最良の形態】
【０００６】
本発明は、所定タイトルの映像再生中に該タイトルを構成するチャプターの情報（次のシーンのチャプター名やチャプター名リスト）を再生画像に重ねて文字で表示する。図１（a）は再生画像1に次のチャプター名称2を表示する例、(b)は再生画像1にチャプター名リスト3を表示する例である。
チャプター情報を表示する第1の方法では、チャプター選択メニュー画面においてサブピクチャデータを用いてチャプター情報を文字で表示するかチェックし、該サブピクチャデータを用いてチャプター情報を文字で表示する場合には、該サブピクチャデータあるいはビットマップ展開した文字画像データを取得してチャプター番号に対応させて保存し、所定チャプターの情報表示が要求されたとき、該チャプターに応じて保存されているサブピクチャデータあるいは文字画像データを用いて要求されたチャプターの情報を文字で表示する。
チャプター情報を表示する第2の方法では、チャプター選択メニュー画面においてチャプター情報を画像圧縮データを用いて文字で表示するかチェックし、チャプター情報を画像圧縮データを用いて文字で表示する場合、該画像圧縮データあるいはビットマップ展開した文字画像データを取得してチャプター番号に対応させて保存し、所定チャプターの情報表示が要求されたとき、該チャプターに応じた画像圧縮データあるいは文字画像データを用いて要求されたチャプターの情報を文字で表示する。
【実施例】
【０００７】
（a）DVD再生装置の構成
図2は本発明のＤＶＤ再生装置の構成図である。DVDオーディオディスク51から光ピックアップ52により読み取られた信号はRFアンプ53に入力する。RFアンプ53は入力信号をRF増幅して次段に出力するとともに、トラッキングエラー信号TES、フォーカシングエラー信号FESを生成してサーボ制御部54に入力する。サーボ制御部54は、トラッキングエラー信号TESを用いて送りモータ55を駆動してトラッキングサーボ制御すると共に、システムコントローラからの指示に基づいて光ピクアップ52をディスク半径方向に移動して所定の位置に位置決めする。また、サーボ制御部54は、フォーカシングエラー信号FESを用いてアクチュエータを駆動して光ピックアップ52の焦点がディスク面に一致するように（合焦点位置になるように）フォーカスサーボ制御する。さらに、サーボ制御部54は、スピンドルモータ56を周速一定回転制御する。
デジタル信号処理部57は、RAM 58を用いてDVD変調信号の復調処理や誤り訂正処理、デジタル認証処理、次段へのビットストリーム（DVDデータ)の転送処理等を行う。ストリーム分離及び解析部59はDVDデータのストリームの解析を行い、ナビゲーションデータをシステムコントローラ60に入力すると共に 、システムコントローラ60からの指示に基づいてビデオデータ（主映像）、所定言語の副映像（字幕）、 所定言語のオーディオデータをそれぞれ分離して出力する。また、ストリーム分離及び解析部59はチャプター情報を取得させるためにサブピクチャデータ、MPEGビデオデータをシステムコントローラ60に入力する。
【０００８】
システムコントローラ60は、各部を制御すると共に、ナビゲーションデータや設定データに基づいてDVD再生時における再生音声、字幕、メニュー言語を決定する制御し、また、チャプター情報の取得制御、チャプター情報の表示制御を行う。
オーディオデコーダ61はRAM 62を用いてMPEG圧縮オーディオデータをPCMオーディオデータに復元して出力し、DA変換器67はPCMオーディオデータをアナログに変換して出力する。ビデオデコーダ63はRAM 64を用いて主映像のMPEGビデオデータを復元して出力し、サブピクチャデコーダ65はRAM 66を用いて副映像（字幕）の圧縮を復元して出力し、OSD（On Screen Display）回路６８は、キー操作を示す文字/記号（消音中、選択したチャネル番号、音量バー等）を発生すると共に、要求されたチャプター情報を発生する。ビデオプロセッサ69は主映像と副映像を重ね合わせ、また、適宜OSD回路から出力される文字画像を重ねてビデオエンコーダ70に入力し、ビデオエンコーダ70は入力映像信号をNTSC方式あるいはPAL方式の信号にエンコードして表示系デバイス71に入力する。表示系デバイス71は入力された映像をディスプレイ画面に表示する。
操作部72はシステムコントローラ60に対して各種の操作入力を行う。たとえば、DVD再生音声の種別、字幕を入力すると共に、再生中に適宜チャプター情報の表示要求をする。記憶部（RAM）72はDVDから読取ったナビゲーションデータ（NVDT）81を保存すると共に、システムコントローラが作成したチャプターテーブル（CHTL）82等を記憶する。チャプターテーブル（CHTL) 82は、DVD再生開始前にシステムコントローラ60が予め作成するもので、チャプター番号に対応させてビットマップ展開した文字画像データの記憶アドレスを示すようになっている。
【０００９】
（b） MPEG1画像データ
図3はMPEG1画像データの階層構造であり、シーケンス層、GOP層、ピクチャ層、スライス層、マクロブロック層、ブロック層の６層の階層構成を有している。シーケンス層はシーケンスヘッダSHとGOP（Group of Picture)で構成されている。シーケンスヘッダSHは画面フォーマットなどを指定するもので、シーケンス開始コードに続いて画面の水平サイズ、垂直サイズ、画素アスペクト比、ピクチャレート、ビットレート等の画像復号に必要なデータが記録されている。
GOP層は複数枚たとえば15枚のピクチャから構成され、各ピクチャにはＩ，Ｐ，Ｂの3種類がある。GOP層の開始コードの後には、タイムコードやクローズドGOPフラグなどが続き、以降に１５枚の各ピクチャが配列される。Ｉピクチャはフレーム内符号化画像であり、Ｉピクチャに対応する入力ピクチャ情報だけから符号化された画像で、フレーム間予測を用いずに生成される。このＩピクチャは独立して復号できる反面、データ量が最も多い。Ｐピクチャはフレーム間予測符号化画像であり、過去のＩまたはＰピクチャを基準に予測符号化されている。ＢピクチャはMPEG特有のピクチャであり、過去のＩまたはＰピクチャと未来のＩまたはＰピクチャの双方向からフレーム間予測符号化されており、データ量は少ない。ＰピクチャはＩピクチャとＢピクチャの中間のデータ量である。
ピクチャ層は、開始コードの後にGOP中の画面順を表示するテンポラル・リファレンス、ピクチャ・タイプなどが続き、その後に複数のスライスが配列される。スライスは開始コードを有する一連のデータ列の中の最小単位であり、任意の長さの（１６画素幅）マクロブロックMBの帯であり、ピクチャをまたがることはできない。
１画面は図4に示すように16×16画素よりなるマクロブロックに分割され、該マクロブロックの画像は図3の下方に示すように8×8の４つの輝度ブロック（1）〜（4）と8×8の色差ブロックＣｒ（5）と8×8の色差ブロックＣｂ（6）の６個のブロックで符号化される。Ｃｒは赤と輝度信号の差（Ｒ−Ｙ）であり、Ｃｂは青と輝度信号の差（Ｂ−Ｙ）である。画像の圧縮符号化はDCT（離散コサイン変換）に基づいており、文字映像部分に応じたマクロブロックの空間周波数は高い。換言すれば、文字映像部分に応じたマクロブロックには高周波成分が含まれている。
【００１０】
（c）チャプターテーブル
図5はチャプターテーブルCHTLの説明図であり、取得した各チャプターのチャプター名称を表示するためのビットマップ展開した文字画像データを記憶する文字画像データ記憶部82aと、チャプター番号と文字画像データ記憶アドレスの対応テーブル82ｂを備えている。文字画像データ記憶部82aに記憶する文字画像データは、画像圧縮データやランレングス圧縮データでもよいし、あるいはこれらをビットマップに展開した文字画像データでも良いが、ここではビットマップに展開した文字画像データであるとする。
【００１１】
（d）文字データの取得法
図6は文字データ取得法を説明するためのチャプター選択メニュー画面であり、チャプター名を表示する文字画像がランレングス圧縮コードを用いたサブピクチャデータで特定される場合である。
チャプター選択メニュー画面CSMIには各チャプターの特徴を示すシーンの映像IMCH1〜IMCH8とチャプター名称部分CPN1〜CPN8が表示され、リモコンあるいはタッチパネル方式で所定のチャプターを選択し該チャプターから再生できるようになっている。チャプター選択されると該チャプター名称部分CPN1〜CPN8の矩形画像部分が赤く点灯する。各シーンの映像IMCH1〜IMCH8は主映像のMPEGデータにより発生される部分であり、チャプター名称部分CPN1〜CPN8は副映像データ（サブピクチャデータ）により発生される部分である。
サブピクチャデータは、チャプター名称部分CPN1〜CPN8の画像（文字画像部、矩形画像部）をランレングス圧縮して作成されている。文字画像部分のランレグスは矩形画像部のランレングスより短いため、ランレングスの長短を監視することにより文字画像部（図中のxxx部）のサブピクチャデータを抽出できる。そこで、システムコントローラ60は、各チャプターの文字画像部に応じたサブピクチャデータを抽出し、該サブピクチャデータを用いてビットマップ展開して得られる文字画像データをチャプター番号に対応させてRAM73に、チャプターテーブルCHTBとして保存する。
【００１２】
図７は第2の文字データ取得法を説明するためのチャプター選択メニュー画面であり、チャプター名を表示する文字画像が主映像のMPEGデータで特定される場合である。
チャプター選択メニュー画面CSMIには各チャプターの特徴を示すシーンの映像IMCH1〜IMCH8とチャプター名称部分CPN1〜CPN8が表示され、リモコンあるいはタッチパネル方式で所定のチャプターを選択し該チャプターから再生できるようになっている。各シーンの映像IMCH1〜IMCH8およびチャプター名称部分CPN1〜CPN8は共に主映像のMPEGデータにより発生される。
DCTにより圧縮された映像部分のうち文字画像に応じたマクロブロックの空間周波数は高い。換言すれば、文字映像部分に応じたマクロブロックには高周波成分が含まれている。例えば、図8に示すように文字（1．オープニング）がDCTにより圧縮されている場合、マクロブロックB5〜B8は有意なデータを持っており、細かい映像情報もある為これらマクロブロックのデータは大きくなり、高周波成分も多い。これに対し、背景映像の部分（マクロブロックB1〜B4）では急峻な画像変化が少なく、マクロブロックB1〜B4が同じ映像を持つ事が多い。この場合は、マクロブロックB2,B3,B4には圧縮データが存在せずに、前のマクロブロックB1と同じデータであるという情報だけが指定される。これらマクロブロックB2,B3,B4をスキップドマクロブロックという。
そこで、システムコントローラ60は、各チャプターのシーン映像IMCH1〜IMCH8の周辺で高周波成分が含まれているマクロブロックを検出し、かつ高周波信号を含むマクロブロックが複数個連続する場合、それらのマクロブロックはチャプター名の文字映像部分であると判定する。そして、それらマクロブロックをビットマップ展開して得られる文字画像データをチャプター番号に対応させてRAM73にチャプターテーブルCHTBとして保存する。
【００１３】
（e）チャプターテーブル作成処理フロー
図９は本発明のチャプターテーブル作成処理フローである。
ディスクが挿入されるとシステムコントローラ60は、チャプター名を表示するためのテキスト情報がDVDに記録されているかチェックし（ステップ101）、記録されている場合には該テキスト情報を用いてチャプター名を文字画像に展開してチャプターテーブルCHTL（図5参照）を作成してRAM73に格納する（ステップ109）。
一方、ステップ101において、チャプター名を表示するためのテキスト情報がDVDに記録されていなければ、チャプター選択メニュー画面CSMI(図6、図7)における各チャプター映像IMCH1〜IMCH8の記録位置を判断する（ステップ102）。
ついで、チャプター選択メニュー画面にサブピクチャ映像が重ねられているか調べ（ステップ103）、重ねられていれば、サブピクチャデータを取り込み（ステップ104）、ランレングス長に基づいて該サブピクチャデータにチャプター文字が含まれているかチェックし（ステップ105）、含まれていれば、各チャプターの文字画像部に応じたサブピクチャデータを抽出し、該サブピクチャデータを用いてビットマップ展開して得られる文字画像データをチャプター番号に対応させてRAM73に、チャプターテーブルCHTBとして保存する（ステップ109）。
【００１４】
一方、ステップ103において、チャプター選択メニュー画面にサブピクチャ映像が重ねられておらず、あるいは、重ねられていてもサブピクチャデータにチャプター文字が含まれていなければ、チャプター映像IMCH1〜IMCH8の周囲にチャプター文字映像部分が存在するか判定する（ステップ107）。すなわち、ＤＣＴ圧縮すると背景映像に比べ文字を映像部分は、映像の変化が急峻である為、高周波の信号が多く、かつ、スキップドマクロブロックになることはありえない。これを利用して、システムコントローラ60は、チャプター映像IMCH1〜IMCH8周辺のMPEGデーターのうち、スキップドマクロブロックでなく、またマクロブロックサイズが大きく、更には高周波成分を持っているマクロブロックが複数個連続しているか調べ、これらを満たす場合には該個所は文字圧縮部分と判定しこの部分を文字データーとして取り込む（ステップ108）。しかる後、マクロブロックをビットマップ展開して得られる文字画像データをチャプター番号に対応させてRAM73にチャプターテーブルCHTBとして保存する（ステップ109）。
以上により、チャプターテーブルCHTBの作成が完了する。そして、再生中に操作部72より次のチャプター表示が要求されれば、システムコントローラ60は該チャプターに応じた文字画像データをOSD回路68に入力し、OSD回路68は該文字画像データにより文字画像を発生し、ビデオプロセッサ69は主映像にチャプター文字を重ねて図1(a)に示すように表示する。なお、チャプターリストを再生画像に重ねて表示することもできる。
以上では、サブピクチャデータにチャプター文字が含まれているかチェックし、含まれてなければ、ステップ107〜108によりMPEG圧縮画像データによるチャプター文字映像部分が存在するかチェックしてチャプター名称を表示したが、チャプター名をサブピクチャデータのみにより指定する場合には、ステップ107,108の処理は不要になる。同様に、チャプター名をMPEG圧縮画像データのみにより指定する場合には、サブピクチャデータにチャプター文字が含まれているかチェックする処理（ステップ103〜106）の処理は不要なる。
【図面の簡単な説明】
【００１５】
【図１】チャプター名称表示例である。
【図２】本発明のＤＶＤ再生装置の構成図である。
【図３】MPEG画像データの階層構造説明図である。
【図４】マクロブロック説明図である。
【図５】チャプターテーブルCHTLの説明図である。
【図６】文字データ取得法を説明するためのチャプター選択メニュー画面例である。
【図７】文字データ取得法を説明するための別のチャプター選択メニュー画面例である。
【図８】文字画像に応じたマクロブロックの空間周波数説明図である。
【図９】本発明のチャプターテーブル作成処理フローである。
【符号の説明】
【００１６】
１  再生画像
２  チャプター名称
３  チャプター名リスト
６０  システムコントローラ
６８  OSD回路
６９  ビデオプロセッサ
７１  表示デバイス
７２  操作部
７３  RAM
８１  ナビゲーションデータNVDT
８２  チャプターテーブルCHTL
【図１】
2006324972.tif 000003
【図２】
2006324972.tif 000004
【図３】
2006324972.tif 000005
【図４】
2006324972.tif 000006
【図５】
2006324972.tif 000007
【図６】
2006324972.tif 000008
【図７】
2006324972.tif 000009
【図８】
2006324972.tif 000010
【図９】
2006324972.tif 000011